(57)【要約】      （修正有）【課題】刃体が障害物に接触してしまうことを防止でき、該障害物の周辺にある被刈払物を容易に刈り払うことが可能な、刈払機の先端構造を提供する。【解決手段】刈払機の先端構造２０Ａは、駆動装置１６により回転駆動する刃体３０ａと、刃体よりも上側に設けられるカバー体４０と、を備え、カバー体は、上側に向かうに連れて横断面の外縁が刃体の回転軸線Ａｘから遠ざかる第１部分４２を含み、第１部分のうち少なくとも上端の外縁は、刃体の外縁よりも回転軸線からの距離が大きい。【選択図】図６
0003232969.tif 000002
【実用新案登録請求の範囲】
【請求項１】
刈払機の先端構造であって、
駆動装置により回転駆動する刃体と、
前記刃体よりも上側に設けられるカバー体と、を備え、
前記カバー体は、上側に向かうに連れて横断面の外縁が前記刃体の回転軸線から遠ざかる第１部分を含み、
前記第１部分のうち少なくとも上端の外縁は、前記刃体の外縁よりも前記回転軸線からの距離が大きい、刈払機の先端構造。
【請求項２】
前記刃体は、上下方向から見て前記回転軸線を中心とする円の径方向および水平面に沿って延在する板状の第１刃部を有し、
前記第１刃部は、その幅方向の縁部に第１切刃を含む、請求項１に記載の刈払機の先端構造。
【請求項３】
前記刃体は、丸鋸状の第２刃部を有し、
前記第２刃部は、その径方向の縁部に第２切刃を含む、請求項１または２に記載の刈払機の先端構造。
【請求項４】
前記刃体は、前記回転軸線から遠ざかるに連れて下側に延びる第３刃部を有し、
前記第３刃部は、板状であり、その幅方向の縁部に第３切刃を含む、請求項１ないし３のいずれかに記載の刈払機の先端構造。
【請求項５】
前記カバー体は、前記駆動装置により前記刃体と一体的に回転駆動し、
前記カバー体の回転軸線は、前記刃体の回転軸線と同軸状に設けられる、請求項１ないし４のいずれかに記載の刈払機の先端構造。
【請求項６】
前記第１部分は、
上下方向から見たとき、その外縁およびその前記横断面の外縁が、それぞれ、円形状であり、
上側に向かうに連れて、その前記横断面の外縁の前記円形状の直径が大きくなることで、前記横断面の外縁形状が大きくなる、請求項１ないし５のいずれかに記載の刈払機の先端構造。
【請求項７】
前記第１部分の外面が平坦である、請求項１ないし６のいずれかに記載の刈払機の先端構造。
【請求項８】
前記第１部分の外面が凸状に湾曲している、請求項１ないし６のいずれかに記載の刈払機の先端構造。
【考案の詳細な説明】
【技術分野】
【０００１】
本考案は、刈払機の先端構造に関する。
【背景技術】
【０００２】
従来から、例えば、特許文献１で提案されているような刈払機の先端構造が知られている。
【０００３】
特許文献１の刈払機の先端構造は、平板状に形成された基部と、前記基部の下面から突出する刃部とを含み、回転軸線周りに回転させることによって前記刃部が雑草の刈り払いを行うように構成された刃体と、前記回転軸線方向から見て中心が前記回転軸線上に位置する円形の外縁を有し、且つ前記回転軸線と直交する方向において該外縁が前記刃体よりも外側に位置するカバー体と、を備える。
【先行技術文献】
【特許文献】
【０００４】
【特許文献１】実用新案登録第３１８４６０８号公報
【考案の概要】
【考案が解決しようとする課題】
【０００５】
特許文献１に記載された刈払機の先端構造は、例えば草木などの被刈払物を刈り払う際、カバー体の外縁が障害物に接触し、刃体が該障害物まで進行できないので、刃体が該障害物に接触することを防止できる。しかし、この刈払機の先端構造は、該障害物の周辺にある被刈払物を刈り払うことが困難であり、この点において改善の余地があった。
【０００６】
そこで、本考案は、刃体が障害物に接触してしまうことを防止でき、該障害物の周辺にある被刈払物を容易に刈り払うことが可能な、刈払機の先端構造を提供することを目的とする。
【課題を解決するための手段】
【０００７】
前記課題を解決するために、本考案に係る刈払機の先端構造は、駆動装置により回転駆動する刃体と、前記刃体よりも上側に設けられるカバー体と、を備え、前記カバー体は、上側に向かうに連れて横断面の外縁が前記刃体の回転軸線から遠ざかる第１部分を含み、前記第１部分のうち少なくとも上端の外縁は、前記刃体の外縁よりも前記回転軸線からの距離が大きい。
【０００８】
上記構成によれば、カバー体の外縁が障害物に当たり、刃体が該障害物まで進行できないので、刃体が該障害物に接触してしまうことを防止できる。また、刃体とカバー体との間の空間に被刈払物が引き込まれるので、該障害物の周辺にある被刈払物を容易に刈り払うことが可能となる。
【考案の効果】
【０００９】
本考案によれば、刃体が障害物に接触してしまうことを防止でき、該障害物の周辺にある被刈払物を容易に刈り払うことが可能な、刈払機の先端構造を提供することができる。
【図面の簡単な説明】
【００１０】
【図１】本考案の第１実施形態に係る刈払機の全体構造を示す斜視図である。
【図２】本考案の第１実施形態に係る刈払機の先端構造およびその周辺部分を一部簡略化した分解図である。
【図３】本考案の第１実施形態に係る刈払機の先端構造が備える第１刃体単体の平面図である。
【図４】本考案の第１実施形態に係る刈払機の先端構造の底面図である。
【図５】本考案の第１実施形態に係る刈払機の先端構造およびその周辺部分の図１のＶ−Ｖ線に沿った断面図である。
【図６】本考案の第１実施形態に係る刈払機の先端構造を用いて、障害物の周辺にある被刈払物を刈り払っている様子を示す概略図である。
【図７】本考案の第２実施形態に係る刈払機の先端構造が備える第２刃体単体の平面図である。
【図８】本考案の第２実施形態に係る刈払機の先端構造の底面図である。
【図９】本考案の第３実施形態に係る刈払機の先端構造が備える第３刃体単体の平面図である。
【図１０】本考案の第３実施形態に係る刈払機の先端構造およびその周辺部分の正面図である。
【図１１】本考案の第４実施形態に係る刈払機の先端構造およびその周辺部分の側面図である。
【考案を実施するための形態】
【００１１】
以下、本考案の実施形態に係る刈払機、および該刈払機の先端構造について、図面を参照して説明する。なお、本実施形態によって本考案が限定されるものではない。また、以下では、全ての図を通じて、同一または相当する要素には同一の参照符号を付して、その重複する説明を省略する。
【００１２】
（第１実施形態）
図１−６に基づき、本考案の第１実施形態に係る刈払機、および該刈払機の先端構造について説明する。図１は、本実施形態に係る刈払機の全体構造を示す斜視図である。図１に示すように、本実施形態に係る刈払機１０Ａは、棒状の操作杆１２と、操作杆１２の中央部に設けられ、刈り払いした草木などの被刈払物が操作者に向けて飛散することを防止するための飛散防止部１４と、操作杆１２の先端部に設けられる駆動装置１６と、駆動装置１６よりも先端側に設けられる先端構造２０Ａ（刈払機の先端構造）と、を備える。
【００１３】
図２は、本実施形態に係る先端構造およびその周辺部分を一部簡略化した分解図である。図２に示すように、本実施形態に係る先端構造２０Ａは、駆動装置１６により回転駆動する刃体３０ａと、刃体３０ａよりも上側に設けられるカバー体４０と、を備える。
【００１４】
同図（図２）に示すように、先端構造２０Ａは、刃体３０ａよりも下側から、刃体３０ａ、カバー体４０および後述する介在部６０を駆動装置１６へと押さえ付けて支持する刃押さえ５０（支持体）と、カバー体４０と駆動装置１６との間に介在し、駆動装置１６の底部に固定される介在部６０と、をさらに備える。刃押さえ５０は、少なくともその一部が水平面に沿って延在する底面を有する（図５、６など参照）。なお、ここでいう「水平面に沿って延在する」とは、水平面上を延在する場合に限定されず、水平面を基準に多少傾いていても概ね水平面に沿って延在する場合も含む。
【００１５】
同図（図２）に示すように、上下方向から見て、刃押さえ５０の中央部、刃体３０ａの中央部、カバー体４０の中央部、および介在部６０の中央部には、それぞれ、貫通孔５８、３８ａ、４８、６８が設けられる。刃押さえ５０、刃体３０ａ、カバー体４０、および介在部６０が、各々の中心軸を同軸状にして、この順で下側から並列されることで、貫通孔５８、３８ａ、４８、６８が上下方向に連通する。
【００１６】
上下方向に連通した貫通孔５８、３８ａ、４８、６８に下側からボルト７０が挿通され、このボルト７０の先端部が介在部６０の雌ネジ部６９（図５参照）に螺合されることで、刃押さえ５０が、刃体３０ａ、カバー体４０および介在部６０を下側から駆動装置１６へと押さえ付けて支持した状態となる。
【００１７】
本実施形態では、刃押さえ５０、およびカバー体４０は、それぞれ、駆動装置１６により刃体３０ａと一体的に、上側から見て反時計回りに回転駆動する。特に、カバー体４０の外面の底部に設けられる二つの突部が、刃体３０ａに設けられる二つの孔に挿通されることで、カバー体４０が刃体３０ａと一体的に回転する。刃押さえ５０の回転軸線、およびカバー体４０の回転軸線は、それぞれ、刃体３０ａの回転軸線Ａｘと同軸状に設けられる。
【００１８】
図３は、本実施形態に係る先端構造が備える刃体単体の平面図である。図３に示すように、刃体３０ａは、円板状の刃体基部３２ａと、該刃体基部３２ａの径方向の縁部に該刃体基部３２ａの周方向において等間隔に設けられる四の刃部３４ａ（第１刃部）と、備える。
【００１９】
その厚さ方向から見て、刃体基部３２ａの中央に、上記貫通孔３８ａが設けられる。四の刃部３４ａは、それぞれ、径方向（上下方向から見て回転軸線を中心とする円の径方向）および水平面に沿って延在する板状である。なお、ここでいう「水平面に沿って延在する」とは、水平面上を延在する場合に限定されず、水平面を基準に多少傾いていても概ね水平面に沿って延在する場合も含む。四の刃部３４ａは、それぞれ、その幅方向の縁部に切刃３６ａ（第１切刃）を含む。
【００２０】
図４は、本実施形態に係る先端構造の底面図である。図５は、同先端構造およびその周辺部分の図１のＶ−Ｖ線に沿った断面図である。図４、５に示すように、カバー体４０は、上側に向かうに連れて横断面の外縁が刃体３０ａの回転軸線Ａｘから遠ざかる第１部分４２を含む。第１部分４２のうち少なくとも上端の外縁４９は、刃体３０ａの外縁３９ａよりも回転軸線Ａｘからの距離が大きい。カバー体４０の第１部分４２の内部は中空であり、その上面が開放されている。これにより、刈払機１０Ａを軽量化することができる。
【００２１】
図４に示すように、第１部分４２は、上下方向から見たとき、その外縁およびその横断面の外縁が、それぞれ、円形状である。図５に示すように、本実施形態では、第１部分４２の外面が平坦である。図４、５に示すように、第１部分４２は、上側に向かうに連れて、その横断面の外縁の円形状の直径が大きくなることで、横断面の外縁形状が大きくなる。
【００２２】
（効果）
図６に基づき、本実施形態に係る刈払機１０Ａの作用効果について説明する。図６は、本実施形態に係る刈払機の先端構造を用いて、障害物の周辺にある被刈払物を刈り払っている様子を示す概略図である。図６に示すように、例えば、支柱Ｐ（障害物）の周辺にある草Ｇ（被刈払物）を、本実施形態に係る刈払機１０Ａで刈り払う場合について説明する。
【００２３】
支柱Ｐは、動物（例えば、猪や鹿など）が田畑に侵入することを防止するための電気柵の支柱Ｐとして構成される。このような支柱Ｐの周辺にある草Ｇを、従来からある刈払機で刈り払う際に、該刈払機の刃体が支柱Ｐまで進行し、刃体が支柱Ｐに接触してしまう場合があった。これにより、例えば、支柱Ｐや刃体３０ａが損傷してしまう場合があった。特に、上記電気柵の支柱Ｐは、例えば、アルミパイプまたは繊維強化プラスチック（Fiber Reinforced Plastics）などから成形されているものが多い。このような場合、回転駆動する刃体が接触することで、支柱Ｐが比較的容易に損傷してしまう。また、刃体が支柱Ｐに接触することで、例えば、操作者から見て刃体３０ａを時計に見立てたとき、該刃体３０ａの特に１２時−３時の範囲などが支柱Ｐに接触することで、先端構造２０Ａが大きく跳ね返ってしまうキックバック現象が生じてしまうという問題もあった。
【００２４】
一方、本実施形態に係る刈払機１０Ａは、上記第１部分４２を含むカバー体４０を備えており、該第１部分４２のうち少なくとも上端の外縁４９が、刃体３０ａの外縁３９ａよりも回転軸線Ａｘからの距離が大きい。これにより、カバー体４０の外縁４９が支柱Ｐに接触し、刃体３０ａが支柱Ｐまで進行できないので、刃体３０ａが支柱Ｐに接触することを防止できる。その結果、本実施形態に係る刈払機１０Ａは、上記のような問題を解消することができる。また、本実施形態に係る刈払機１０Ａは、刃体３０ａとカバー体４０との間の空間に草Ｇが引き込まれるので、支柱Ｐの周辺にある草Ｇを容易に刈り払うことが可能となる。さらに、本実施形態に係る刈払機１０Ａは、刈り払ったあとの草Ｇがカバー体４０の外面に当たることで、該草Ｇが操作者に向けて飛散することを防止することができる。また、本実施形態に係る刈払機１０Ａは、刈り払ったあとの草Ｇが刃体３０ａおよび駆動装置１６などの上面に載ることをカバー体４０により防止できるので、これらの構造に草Ｇが巻き付いて作業効率が低下することを防止できる。
【００２５】
本実施形態では、刃体３０ａが、径方向（上下方向から見て回転軸線を中心とする円の径方向）および水平面に沿って延在する板状の四の刃部３４ａを備えているので、刃体３０ａとカバー体４０の第１部分４２との間に十分な空間が形成される。これにより、簡単な構造で容易に、刃体３０ａとカバー体４０との間の空間に草Ｇを引き込むことができる。
【００２６】
本実施形態では、カバー体４０が、駆動装置１６により回転駆動するので、刃体３０ａとカバー体４０との間の空間に草Ｇをいっそう引き込むことができる。また、刈り払われたあとカバー体４０の内部に侵入した草Ｇを、遠心力によりカバー体４０の外部へと排出することができる。
【００２７】
本実施形態では、カバー体４０が、刃体３０ａと一体的に回転するので、刃体３０ａとカバー体４０との間の空間に草Ｇを簡単な構造で引き込むことができる。また、刈り払われたあとカバー体４０の内部に侵入した草Ｇを、遠心力によりカバー体４０の外部へ簡単な構造で排出することができる。
【００２８】
本実施形態では、カバー体４０の回転軸線が、刃体３０ａの回転軸線Ａｘと同軸状に設けられるので、刃体３０ａとカバー体４０との間の空間に草Ｇをいっそう簡単な構造で引き込むことができる。また、刈り払われたあとカバー体４０の内部に侵入した草Ｇを、遠心力によりカバー体４０の外部へいっそう簡単な構造で排出することができる。
【００２９】
本実施形態に係る刈払機１０Ａは、上記刃押さえ５０（支持体）をさらに備え、該刃押さえ５０の底面の少なくとも一部が水平面に沿って延在するので、図６に示すように、刈払機１０Ａの先端構造２０Ａを地面に安定した状態で載置し、草Ｇの刈り払い作業を行うことができる。これにより、刈払機１０Ａの操作性が向上する。
【００３０】
（第２実施形態）
図７、８に基づき、本考案の第２実施形態に係る刈払機、および該刈払機の先端構造について説明する。図７は、本実施形態に係る刈払機の先端構造が備える第２刃体単体の平面図である。図８は、同先端構造の底面図である。本実施形態に係る刈払機１０Ｂは、刃体３０ｂを除き、上記第１実施形態に係る刈払機１０Ａと同様の構造を備える。したがって、同一部分には同じ参照番号を付し、同様となる説明は繰り返さない。
【００３１】
図７、８に示すように、本実施形態では、刃体３０ｂが、丸鋸状の刃部３４ｂ（第２刃部）を有する。刃部３４ｂは、円板状の刃体基部３２ｂと、該刃体基部３２ｂの径方向の外縁３９ｂに該刃体基部３２ｂの周方向において等間隔に設けられる十の切刃３６ｂ（第２切刃）と、を備える。その厚さ方向から見て、刃体基部３２ｂの中央に、上記第１実施形態の貫通孔３８ａに相当する貫通孔３８ｂが設けられる。上記第１実施形態の場合と同様に、カバー体４０のうち少なくとも上端の外縁４９は、刃体３０ｂの外縁３９ｂよりも回転軸線Ａｘからの距離が大きい。
【００３２】
円板状の刃体基部３２ｂのうち、十の切刃３６ｂそれぞれの回転方向の前側には、切欠きが設けられる。十の切刃３６ｂは、それぞれ、刃体基部３２ｂの径方向の縁部に取り付けられた超硬チップである。
【００３３】
本実施形態では、上記のような刃体３０ｂを備えることで、耐久性が向上する。
【００３４】
（第３実施形態）
図９、１０に基づき、本考案の第３実施形態に係る刈払機、および該刈払機の先端構造について説明する。図９は、本実施形態に係る刈払機の先端構造が備える第３刃体単体の平面図である。図１０は、同先端構造およびその周辺部分の正面図である。本実施形態に係る刈払機１０Ｃは、刃体３０ｃを除き、上記第１実施形態に係る刈払機１０Ａ、および上記第２実施形態に係る刈払機１０Ｂと同様の構造を備える。したがって、同一部分には同じ参照番号を付し、同様となる説明は繰り返さない。
【００３５】
図９、１０に示すように、本実施形態では、刃体３０ｃが、円板状の刃体基部３２ｃと、該刃体基部３２ｃの径方向の外縁３９ｃに該刃体基部３２ｃの周方向において１８０°ずれた位置に設けられ、回転軸線Ａｘから遠ざかるに連れて下側に延びる二の刃部３４ｃ（第３刃部）と、を備える。その厚さ方向から見て、刃体基部３２ｃの中央に、上記第１実施形態の貫通孔３８ａに相当する貫通孔３８ｃが設けられる。二の刃部３４ｃは、それぞれ、その幅方向から見て屈曲した板状であり、その幅方向の縁部に切刃３６ｃ（第３切刃）を含む。上記第１および第２実施形態の場合と同様に、カバー体４０のうち少なくとも上端の外縁４９は、刃体３０ｃの外縁３９ｃよりも回転軸線Ａｘからの距離が大きい。
【００３６】
本実施形態では、上記のような刃体３０ｃを備えることで、上記第１実施形態の場合と比較して、刃体３０ｃとカバー体４０の第１部分４２との間に大きな空間が形成される。これにより、いっそう容易に、刃体３０ａとカバー体４０との間の空間に草Ｇを引き込むことができる。
【００３７】
（第４実施形態）
図１１に基づき、本考案の第４実施形態に係る刈払機、および該刈払機の先端構造について説明する。図１１は、本実施形態に係る刈払機の先端構造およびその周辺部分の側面図である。本実施形態に係る刈払機１０Ｄは、カバー体４０´を除き、上記第１実施形態に係る刈払機１０Ａと同様の構造を備える。したがって、同一部分には同じ参照番号を付し、同様となる説明は繰り返さない。
【００３８】
図１０に示すように、カバー体４０´は、上記第１実施形態で説明したカバー体４０と同様に、上側に向かうに連れて横断面の外縁が刃体３０ａの回転軸線Ａｘから遠ざかる第１部分４２を含み、第１部分４２のうち少なくとも上端の外縁４９は、刃体３０ａの外縁よりも回転軸線Ａｘからの距離が大きい。そして、本実施形態では、上記第１実施形態で説明したカバー体４０とは異なり、カバー体４０´の外面が凸状に湾曲している。本実施形態に係る先端構造２０Ｄは、このようなカバー体４０´を備えることで、上記第１実施形態に係る先端構造２０Ａと同様の効果を得ることができる。
【００３９】
（変形例）
上記第１実施形態では、カバー体４０は、駆動装置１６により刃体３０ａと一体的に回転し、カバー体４０の回転軸線が刃体３０ａの回転軸線Ａｘと同軸状に設けられる場合について説明した。しかし、この場合に限定されず、カバー体４０は、例えば、駆動装置１６と刃体３０ａとの間に減速機構が設けられ、自らは該減速機構を介さずに駆動装置１６に接続されることで、駆動装置１６により刃体３０ａとは異なる回転速度で回転駆動しても良い。あるいは、カバー体４０は、例えば、駆動装置１６とは別個に設けられる他の駆動装置により回転駆動しても良い。また、カバー体４０は、駆動装置１６には取り付けられず、操作杆１２に取り付けられることで、回転駆動しなくても良い。そして、例えば、カバー体４０が操作杆１２に取り付けられたり、刃体３０ａおよびカバー体４０のうち少なくともいずれか一方と駆動装置１６との間に一または複数のギヤを設けたりすることで、カバー体４０の回転軸線が、刃体３０ａの回転軸線Ａｘと同軸状に設けられなくても良い。
【００４０】
すなわち、カバー体４０は、駆動装置１６により回転駆動しても良いが、この態様に限定されない。また、カバー体４０は、刃体３０ａと一体的に回転駆動しても良いが、この態様に限定されない。さらに、カバー体４０ａの回転軸線は、刃体３０ａの回転軸線Ａｘと同軸状に設けられても良いが、この態様に限定されない。
【００４１】
上記第１実施形態などでは、カバー体４０の第１部分４２の内部は中空であり、その上面が開放されている場合について説明した。しかし、この場合に限定されず、第１部分４２は、その上面に蓋がされていても良いし、或いは、その内部が中空でない構造であっても良い。
【００４２】
上記第１実施形態では、刃体３０ａが、駆動装置１６に接続される円板状の刃体基部３２ａを有し、該刃体基部３２ａの径方向の縁部に四の刃部３４ａが設けられる場合について説明した。しかし、この場合に限定されず、刃体３０ａは、刃体基部３２ａを備えず、四の刃部３４ａが、それぞれ、別個に駆動装置１６に接続される構造であっても良い。また、刃部３４ａの数量は特に限定されず、一以上三つ以下設けられても良いし、五以上設けられても良い。上記刃体３０ａの変形例について、刃体３０ｂ、３０ｃについても同様の変形例が考えられるが、ここではその説明を繰り返さない。
【００４３】
上記第１実施形態などでは、刃押さえ５０および介在部６０が設けられる場合について説明した。しかし、この場合に限定されず、例えば、刃押さえ５０が設けられずに、ボルト７０のみによって刃体３０ａおよびカバー体４０を支持しても良いし、介在部６０が設けられずに、カバー体４０が駆動装置１６に直接的に取り付けられても良い。
【００４４】
上記第１実施形態では、電気柵の支柱Ｐ（障害物）の周辺にある草Ｇ（被刈払物）を、刈払機１０Ａにより刈り払う場合について説明した。しかし、この場合に限定されず、例えば、樹木の周辺にある草木などの被刈払物を、刈払機１０Ａにより刈り払っても良いし、他の障害物の周辺にある他の被刈払物を、刈払機１０Ａにより刈り払っても良い。このような場合であっても、電気柵の支柱Ｐの周辺にある草Ｇを、刈払機１０Ａにより刈り払う場合と同様の効果が得られる。なお、刈払機１０Ｂ−１０Ｄについても同様であるため、ここではその説明を繰り返さない。
【００４５】
上記では、先端構造２０Ａが図３に示す刃体３０ａのみを有し、先端構造２０Ｂが図７に示す刃体３０ｂのみを有し、先端構造２０Ｃが図９に示す刃体３０ｃのみを有する場合について説明した。しかし、この場合に限定されず、例えば、刃体３０ａ−３０ｃのうち少なくとも二つが、高さ方向に重ねられて駆動装置１６に取り付けられても良い。
【００４６】
（まとめ）
上記課題を解決するために、本考案に係る刈払機の先端構造は、駆動装置により回転駆動する刃体と、前記刃体よりも上側に設けられるカバー体と、を備え、前記カバー体は、上側に向かうに連れて横断面の外縁が前記刃体の回転軸線から遠ざかる第１部分を含み、前記第１部分のうち少なくとも上端の外縁は、前記刃体の外縁よりも前記回転軸線からの距離が大きい。
【００４７】
上記構成によれば、カバー体の外縁が障害物に接触し、刃体が該障害物まで進行できないので、刃体が該障害物に接触してしまうことを防止できる。また、刃体とカバー体との間の空間に被刈払物が引き込まれるので、障害物の周辺にある被刈払物を容易に刈り払うことが可能となる。その結果、刃体が障害物に接触してしまうことを防止でき、該障害物の周辺にある被刈払物を容易に刈り払うことが可能な、刈払機の先端構造を提供することができる。
【００４８】
前記刃体は、上下方向から見て前記回転軸線を中心とする円の径方向および水平面に沿って延在する板状の第１刃部を有し、前記第１刃部は、その幅方向の縁部に第１切刃を含んでも良い。
【００４９】
上記構成によれば、第１刃部とカバー体の第１部分との間に十分な空間が形成される。これにより、簡単な構造で容易に、刃体とカバー体との間の空間に被刈払物を引き込むことができる。
【００５０】
前記刃体は、丸鋸状の第２刃部を有し、前記第２刃部は、その径方向の縁部に第２切刃を含んでも良い。
【００５１】
上記構成によれば、耐久性が向上する。
【００５２】
前記刃体は、前記回転軸線から遠ざかるに連れて下側に延びる第３刃部を有し、前記第３刃部は、板状であり、その幅方向の縁部に第３切刃を含んでも良い。
【００５３】
上記構成によれば、第３刃部とカバー体の第１部分との間に大きな空間が形成される。これにより、いっそう容易に、刃体とカバー体との間の空間に被刈払物を引き込むことができる。
【００５４】
前記カバー体は、前記駆動装置により前記刃体と一体的に回転駆動し、前記カバー体の回転軸線は、前記刃体の回転軸線と同軸状に設けられても良い。
【００５５】
上記構成によれば、簡単な構造で、刃体とカバー体との間の空間に被刈払物をいっそう引き込むことができる。
【００５６】
例えば、前記第１部分は、上下方向から見たとき、その外縁およびその前記横断面の外縁が、それぞれ、円形状であり、上側に向かうに連れて、その前記横断面の外縁の前記円形状の直径が大きくなることで、前記横断面の外縁形状が大きくなっても良い。
【００５７】
例えば、前記第１部分の外面が平坦であっても良い。
【００５８】
例えば、前記第１部分の外面が凸状に湾曲していても良い。
【符号の説明】
【００５９】
１０Ａ−１０Ｄ  刈払機
１２  操作杆
１４  飛散防止部
１６  駆動装置
２０Ａ−２０Ｄ  刈払機の先端構造
３０ａ−３０ｃ  刃体
３２ａ−３２ｃ  刃体基部
３４ａ  刃部（第１刃部）
３４ｂ  刃部（第２刃部）
３４ｃ  刃部（第３刃部）
３６ａ  切刃（第１切刃）
３６ｂ  切刃（第２切刃）
３６ｃ  切刃（第３切刃）
３８ａ−３８ｃ  貫通孔
３９ａ−３９ｃ  外縁
４０  カバー体
４２  第１部分
４８  貫通孔
４９  上端の外縁
５０  刃押さえ
５８  貫通孔
６０  介在部
６８  貫通孔
６９  雌ネジ部
７０  ボルト
Ａｘ  回転軸線
Ｇ  草（被刈払物）
Ｐ  支柱
【図１】
0003232969.tif 000003
【図２】
0003232969.tif 000004
【図３】
0003232969.tif 000005
【図４】
0003232969.tif 000006
【図５】
0003232969.tif 000007
【図６】
0003232969.tif 000008
【図７】
0003232969.tif 000009
【図８】
0003232969.tif 000010
【図９】
0003232969.tif 000011
【図１０】
0003232969.tif 000012
【図１１】
0003232969.tif 000013